(57)【特許請求の範囲】
【請求項１】
描画する模様画像を選択する選択手段と、
前記模様画像を描画する位置を指定する指定手段と、
前記模様画像の模様毎に色情報で区分される領域情報を記憶する記憶手段と、
前記記憶手段から前記領域情報を読出し、前記指定された位置の色情報と同じ色情報を持つ領域を特定し、前記選択手段で選択された模様画像より前記特定された領域の模様を抽出する抽出手段と、
前記抽出手段で抽出された模様を描画する描画手段とを備える画像編集装置。
【請求項２】
被写体を撮影するための撮影手段と、
前記撮影手段で撮影した撮影画像に対して描画する模様画像を選択する選択手段と、
前記撮影画像に対して模様画像を描画する位置を指定する指定手段と、
前記模様画像の模様毎に色情報で区分される領域情報を記憶する記憶手段と、
前記記憶手段から前記領域情報を読出し、前記指定された位置の色情報と同じ色情報を持つ領域を特定し、前記選択手段で選択された模様画像より前記特定された領域の模様を抽出する抽出手段と、
前記抽出手段で抽出された模様を描画する描画手段と、
前記模様画像と撮影画像とを合成する合成手段と、
前記合成画像を出力する出力手段とを備える写真シール作成装置。
【発明の詳細な説明】
【技術分野】
【０００１】
本発明は、画像編集装置、写真シール作成装置、画像編集方法及び画像編集プログラムに関し、さらに詳しくは、模様画像の模様をきれいに入力できる画像編集装置、写真シール作成装置、画像編集方法及び画像編集プログラムに関する。
【背景技術】
【０００２】
ゲームセンタなどの遊戯施設には、利用者を被写体としてカメラで撮影し、その写真をシールシートに印刷して販売する写真シール作成装置が設置されている。これらの写真シール作成装置は、利用者を撮影して写真画像を取得する撮影装置と、撮影画像をタブレットディスプレイなどに表示し、付属のタッチペン２０で文字や図形などを入力して画像を編集する画像編集装置とを備えたものが一般的になっている。画像編集装置で入力された文字や図形等の画像（編集画像）は写真画像と合成され、その合成画像がプリンタでシールシートに印刷され、利用者に提供される。
【０００３】
このような写真シール作成装置では、仕上がった写真中の利用者の写り具合の良さだけでなく、文字や図形の入力等の画像編集機能の豊富さや簡便さも人気に影響する。利用者は、文字や図形の入力（いわゆる落書きやお絵描き）により、よりオリジナリティの高い画像を作成したいからである。
【０００４】
たとえば、特開２００２−１８５８９２号公報（特許文献１）には、画像に対する落書き処理を行う際に、落書き可能な範囲を制限する技術が開示されている。この技術によって、例えば背景画像の入力をする際に、被写体以外の部分のみに入力することができるため、容易に背景画像を入力することができる。
【特許文献１】特開２００２−１８５８９２号公報
【０００５】
また、簡単な操作で背景画像を入力するために、タッチペンで１度タッチするだけで、背景画像の全てを入力できるようにした画像編集装置を備えた写真シール作成装置もある。
【発明の開示】
【発明が解決しようとする課題】
【０００６】
しかしながら、背景画像を入力している途中で、編集制限時間に達してしまうと、図１６（Ａ）が図示するように、背景画像に柄模様を含み、タッチペンの軌跡ｍによって形成されるペン先領域Ｍ上に背景画像を描画していく場合に、図１６（Ｂ）が図示するように、背景（模様）画像２５０の柄模様が、中途半端に切れて入力されてしまうという問題があった（模様２５５ｃ、２５５ｅ、２５５ｈ参照）。このように模様が中途半端に切れて入力されてしまうと見た目にも美しくなく、利用者は不満に思うという問題があった。
【０００７】
また、タッチペンでタッチするだけで背景画像の全てを入力することができると、簡単に入力することができるものの、画像の一部だけに背景画像を入力したい場合などに、不必要な背景画像を消さなくてはならないなど、手間がかかるという問題があった。
【０００８】
本発明の目的は、模様画像の模様をきれいに入力できる画像編集装置、写真シール作成装置、画像編集方法及び画像編集プログラムを提供することである。
【課題を解決するための手段】
【０００９】
上記課題を解決するために請求項１に記載の発明の画像編集装置は、描画する模様画像を選択する選択手段と、前記模様画像を描画する位置を指定する指定手段と、前記模様画像の模様毎に色情報で区分される領域情報を記憶する記憶手段と、前記記憶手段から前記領域情報を読出し、前記指定された位置の色情報と同じ色情報を持つ領域を特定し、前記選択手段で選択された模様画像より前記特定された領域の模様を抽出する抽出手段と、前記抽出手段で抽出された模様を描画する描画手段とを備える。
【００１０】
上記発明によれば、模様画像中の模様を抽出して撮影画像上に描画するため、模様が途中で切れているなどの中途半端な状態で描画されることを防止することができる。また、模様毎に領域情報に基づいて模様画像の模様を抽出し描画するため、切れ目のよい領域範囲で模様を描画することができる。このため、模様を美しく描画することができる。さらに、上記色情報は例えばＲＧＢ値を用いることができる。ＲＧＢ値なら約１６５８万通りの領域分割が可能であり、このような色情報を用いることによって、１つの画像を細かく領域分割することができ、多数の領域情報を持つことができる。このため、細かい模様の描画に対応することができる。
【００１５】
請求項２に記載の発明の写真シール作成装置は、被写体を撮影するための撮影手段と、前記撮影手段で撮影した撮影画像に対して描画する模様画像を選択する選択手段と、前記撮影画像に対して模様画像を描画する位置を指定する指定手段と、前記模様画像の模様毎に色情報で区分される領域情報を記憶する記憶手段と、前記記憶手段から前記領域情報を読出し、前記指定された位置の色情報と同じ色情報を持つ領域を特定し、前記選択手段で選択された模様画像より前記特定された領域の模様を抽出する抽出手段と、前記抽出手段で抽出された模様を描画する描画手段と前記模様画像と撮影画像とを合成する合成手段と、前記合成画像を出力する出力手段とを備える。
【発明の効果】
【００１８】
上記発明によれば、模様画像中の模様を抽出して撮影画像上に描画するため、模様が途中で切れているなどの中途半端な状態で描画されることを防止することができる。
【００１９】
また、任意の位置に模様画像２５０を切れ目なくきれいに描画できるため、ユーザのセンスに応じた自由度の高い編集を行うことができる。
【発明を実施するための最良の形態】
【００２０】
以下、図面を参照し、本発明の実施の形態を詳しく説明する。図中同一又は相当部分には同一符号を付してその説明は繰り返さない。
【００２１】
１．外観構成
図１は、本発明の実施の形態の写真シール作成装置１の斜視図、図２は、写真シール作成装置１の側面図、図３は、写真シール作成装置１の平面図、図４は、筐体３を背面側から見た斜視図である。
【００２２】
図１〜図３に示すように、写真シール作成装置１は、被写体を撮影する撮影手段であるカメラ２を備えるとともに種々の処理および制御を行う機器を備える筐体３と、この筐体３におけるカメラ２と対向する位置に距離を置いて設けられている背景ユニット４と、筐体３と背景ユニット４の上部に左右一対の天井フレーム５が架設されて形成される撮影ブース６内に移動可能に設けられ、被写体である利用者７の撮影ポーズの形成を補助する撮影用椅子８とを備える。
【００２３】
筐体３における利用者７に対向する側（以下、ユーザ側と記す）の面には、カメラ２のほか、カメラ２が現在撮影している画像をユーザ７に対してリアルタイムで表示し、撮影時の操作手順や選択肢を表示する撮影操作モニタ９と、撮影操作モニタ９に積層されユーザ７からの操作入力を受け付けるタッチパネル１０と、撮影時に被写体を照明するストロボや蛍光灯を内部に備える照明装置１１と、コインを投入するためのコイン投入口１２と、撮影用椅子８の一部を収納するために凹状に形成された収納スペース１３と、筐体３内に収容された各種機器のメンテナンス用のフロントドア１４と、撮影操作時に音声案内やＢＧＭを出力する撮影用スピーカ１６（図５参照）とが設けられている。なお、照明装置１３は上記以外に、被写体の側方及び後方にも設けられ、被写体をあらゆる方向から照明する。
【００２４】
また、この筐体３のユーザ側とは反対側（以下、背面側と記す）の面には、図２〜図４に示すように、撮影ブース６において撮影した撮影画像や編集画像を表示する編集操作モニタ２１と、編集操作モニタ２１に積層され、付属のタッチペン２０によりユーザ７からの編集画像の入力を受け付けるタッチパネル２２と、編集入力操作時に音声案内やＢＧＭを出力する編集用スピーカ２６（図５参照）とが設けられている。上記タッチペン２０、編集操作モニタ２１、タッチパネル２２、編集用スピーカ２６は、画像編集装置２５Ａを形成する。なお、図中の２３Ａは、この筐体３の背面側が面する空間であってユーザ７が編集入力操作を行うスペースである編集ブース２３Ａである。
【００２５】
さらに、図１〜図４に示すように、この筐体３の一方の側面部にはプリント取出口２４が設けられ、このプリント取出口２４からは、撮影画像と編集入力した画像とを合成した合成画像（編集画像を入力しなかった場合には撮影画像）が筐体３に収納されたプリンタ５５によってシールシートなどの印刷媒体に印刷されたものが排出される。
【００２６】
一方、図１〜図３に示すように、背景ユニット４におけるユーザ７に対向する側（以下、ユーザ側と記す）の上部には、撮影時にユーザ７の背景となる背景手段としての背景カーテン３０を複数種類備えたカーテンユニット３１が設けられている。それぞれの背景カーテン３０は、カーテンユニット３１内に巻き取られた状態で収納されており、カーテンユニット３１は、ユーザ７から撮影操作モニタ９に積層されるタッチパネル１０への操作を介して指定された背景カーテン３０を、背景ユニット４の壁面に沿って垂下させる。
【００２７】
また、背景ユニット４におけるユーザ側とは反対側（以下、背面側と記す）には、筐体３と同様、撮影ブース６において撮影した撮影画像や編集画像を表示する編集操作モニタ２１と、編集操作モニタ２１に積層され、付属のタッチペン２０によりユーザ７からの編集画像の入力を受け付けるタッチパネル２２と、編集入力操作時に音声案内やＢＧＭを出力する編集用スピーカ２６（図５参照）とが設けられている。上記タッチペン２０、編集操作モニタ２１、タッチパネル２２、編集用スピーカ２６は、画像編集装置２５Ｂを形成する。なお、図中の２３Ｂは、この背景ユニット４の背面側が面する空間であってユーザ７が編集入力操作を行うスペースである編集ブース２３Ｂである。
【００２８】
上記の撮影ブース６および編集ブース２３Ａ、２３Ｂ（これらをまとめて編集ブース２３という）の周囲には、ユーザ７がそれぞれのブースにおいて操作処理を行う際に、他の利用者から画像等の内容が見えないようにするための周囲カーテンが設けられているが、図面の煩雑化を避けるため、図示は省略している。
【００２９】
この写真シール作成装置１を利用する場合、まず利用者はコイン投入口１２にコインを投入する。コインを受け付けると、写真シール作成装置１は利用可能な状態にあればその旨を案内する。利用者はその案内に従って、開放されている側面から撮影ブース６に入り、筐体３のユーザ側に向かって撮影操作を行う。撮影終了後、ユーザ７は指定されたいずれかの編集ブース２３に移動し、今度は編集操作モニタ２１に向かって背景画像、フレーム、スタンプ、線書きなどの編集画像の入力等を行う。
【００３０】
２．機能構成
図５を参照して、写真シール作成装置１は、撮影処理を実行する撮影用コンピュータ装置１０１ａと、編集処理を実行する編集用コンピュータ装置１０１ｂと、動作中のコンピュータ装置１０１ａ，１０１ｂからの指示を受け付けて、接続されている各種装置を制御する制御基板１０２とを備える。撮影用コンピュータ装置１０１ａと編集用コンピュータ装置１０１ｂとは互いに接続され、画像データなどの授受をピアツーピアで行う。これらは写真シール作成装置１の制御手段として機能する。
【００３１】
コンピュータ装置１０１ａ，１０１ｂは、ＣＰＵ(Central Processing
Unit)１０３ａ，１０３ｂと、本装置に所定の処理を実行させるためのプログラム、処理に必要なグラフィックデータ、音声データ、撮影された写真画像、入力された編集画像を記憶する記憶手段であるＨＤＤ（Hard
Disk Drive）１０４ａ，１０４ｂ、プログラムの一時的な作業領域となるメモリ１０５ａ，１０５ｂとを含む。
【００３２】
撮影用コンピュータ装置１０１ａは、撮影ブース６での撮影処理を実行する。具体的には、撮影処理のプログラムの実行や、利用者の指等のタッチによりタッチパネル１０で受け付けた入力操作にしたがった指示信号に基づいて、制御基板１０２に対して制御信号を送信する。また、撮影用コンピュータ装置１０１ａは、カメラ２、撮影操作モニタ９、制御基板１０２と接続されそれらを制御する。
【００３３】
編集用コンピュータ装置１０１ｂは、編集ブース２３での編集処理及び印刷処理を実行する。具体的には、編集用コンピュータ装置１０１ｂは、編集プログラム及び印刷プログラムを実行し、タッチパネル２２に対するタッチペン２０による入力操作に応じて制御信号を制御基板１０２に送信する。編集用コンピュータ装置１０１ｂは、プリンタ５５、編集操作モニタ２１、制御基板１０２に接続され、それらを制御する。
【００３４】
画像編集用コンピュータ装置１０１ｂ内のＨＤＤ１０４ｂは、画像編集プログラムを記憶する。ＨＤＤ１０４ｂはさらに、編集画像を記憶する。また、後に説明するように編集画像を入力するためのマスク画像や領域データ画像などを記憶する。
【００３５】
プリンタ５５は、写真画像と編集画像の合成画像をシール紙等の印刷媒体に印刷する。この実施の形態のプリンタ５５は画像をシール紙に印刷するが、印刷媒体はシール紙に限定されることなく、他の印刷媒体でもよい。
【００３６】
タッチパネル１０は、撮影操作モニタ９の上に積層されている。タッチパネル１０は、利用者の指等の接触を検知し、それに応じた指示信号を撮影用コンピュータ装置１０１ａに送信する。撮影操作モニタ９は、撮影用コンピュータ装置１０１ａから送信された画像、具体的には、カメラ２で撮像された写真画像、撮影のための案内、選択肢など表示する。
【００３７】
タッチパネル２２は、編集操作モニタ２１の上に積層されている。タッチパネル２２は、左右のタッチペン２０の接触を検知し、それに応じた指示信号を画像編集用コンピュータ装置１０１ｂに送信する。編集操作モニタ２１は、編集用コンピュータ装置１０１ｂから送信された画像、具体的には、画像編集処理の最中には描画された編集画像を写真画像上に重ねて表示する。
【００３８】
制御基板１０２は、コンピュータ装置１０１ａ，１０１ｂの他に、ストロボ制御部１１０、ストロボ１７、蛍光灯１８、背景制御部１１１、コイン制御部１１２、サービスパネル１１３、印刷中ＬＥＤ５２、印刷エラーＬＥＤ５３、に接続される。
【００３９】
ストロボ制御部１１０はカメラ２に接続され、カメラ２のシャッタタイミングに応じて発光するようにストロボ１７を制御する。
【００４０】
背景制御部１１１は制御基板１０２を介して撮影用コンピュータ装置１０１ａに接続される。撮影用コンピュータ装置１０１ａの指示信号に基づいて、背景制御部１１１は、カーテンユニット３１の必要な背景カーテン３０を巻取り、あるいは繰り出しを行うよう制御する。
【００４１】
撮影用スピーカ１６は、撮影空間２に配備され、撮影用コンピュータ装置１０１aから制御基板１０２を介して与えられる指示信号に基づいて、撮影プレイのための操作方法などの案内やＢＧＭなどを出力する。編集用スピーカ２６は、編集ブース２３に配備され、編集用コンピュータ装置１０１ｂから制御基板１０２を介して与えられる指示信号に基づいて、編集プレイのための操作方法などの案内やＢＧＭなどを出力する。
【００４２】
なお、画像編集装置２５は、上記構成のうち、編集用コンピュータ装置１０１ｂと、タッチペン２０と、編集操作モニタ２１と、タッチパネル２２とを備える。
【００４３】
３．動作
上述した写真シール作成装置１の動作は次のとおりである。
【００４４】
３−１．撮影空間での動作（撮影処理）
まず、撮影ブース６での写真シール作成装置１の動作を説明する。撮影用コンピュータ装置１０１ａのＣＰＵ１０３ａはＨＤＤ１０４ａに記憶されたコンピュータプログラムをメモリ１０５ａに読出して実行することにより、この撮影処理を実現する。
【００４５】
図６のフローチャートを参照して、ＣＰＵ１０３ａは、写真シール作成装置１の利用を促すタイトルデモ画面を撮影操作モニタ９に表示し（Ｓ１１）、その間にコイン制御部１１２において対価であるコインの投入を監視する（Ｓ１２）。タイトルデモ画面の表示中に所定枚数のコインが投入されると（Ｓ１２でＹＥＳ）、ＣＰＵ１０３ａは所定の撮影を実行する（Ｓ１３）。
【００４６】
利用者は、撮影操作モニタ９に表示される案内に従って複数回の撮影を行う。ＣＰＵ１０３ａは、撮影回数が所定回数に達したか否かを判定する（Ｓ１４）。所定回数撮影していない場合（Ｓ１４でＮＯ）、ＣＰＵ１０３ａはステップＳ１３に戻って撮影を繰り返す。一方、所定回数撮影した場合（Ｓ１４でＹＥＳ）、ＣＰＵ１０３ａは、撮影で得られた複数の撮影画像のデータを編集用コンピュータ装置１０１ｂに転送する（Ｓ１５）。ＣＰＵ１０３ａは編集ブース２３で編集するよう促す案内を撮影操作モニタ９に表示した後、ステップＳ１１に戻って再びタイトルデモ画面を表示する。
【００４７】
ここでは撮影回数を制限しているが、撮影時間を制限するようにしてもよい。また、所定回数撮影した後にまだ所定の撮影制限時間が余っている場合や、編集ブース２２で前の利用者がまだ落書きをしている場合は、それらが終了するまで撮影プレイを行えるようにしてもよい。
【００４８】
３−２．編集空間での動作（編集処理及び印刷処理）
次に、編集ブース２２での写真シール作成装置１の動作を説明する。編集用コンピュータ装置１０１ｂのＣＰＵ１０３ｂはＨＤＤ１０４ｂに記憶された編集プログラム及び印刷プログラムをメモリ１０５ｂに読出して実行することにより、編集処理及び印刷処理を実現する。
【００４９】
図７のフローチャートを参照して、ＣＰＵ１０３ｂは、撮影プレイから始めるよう促す待機画面を編集操作モニタ２１に表示する（Ｓ２１）。図６に示した撮影処理が終了すると、撮影用コンピュータ装置１０１ａから編集用コンピュータ装置１０１ｂに撮影画像のデータが転送されて来るので、ＣＰＵ１０３ｂはこれを受け付ける（Ｓ２２）。そして、ＣＰＵ１０３ｂは、図８が図示する編集画面を表示して、（Ｓ２３）、編集タイマによって編集モード選択制限時間の計時（カウント）を開始する（Ｓ２４）。そして、編集入力処理を実行する（Ｓ２５）。
【００５０】
編集入力処理では、撮影ブース６において撮影された撮影画像を編集操作モニタ２１に表示し、タッチパネル２２においてタッチペン２０による模様画像やスタンプ画像などの編集画像の描画を受け付ける。編集入力処理の詳細は後述する。
【００５１】
編集入力処理が終了すると（Ｓ２６でＹＥＳ）、撮影画像と、編集入力処理において入力した編集画像とを合成した合成画像が、編集操作モニタ２１に並べて表示される（Ｓ２７）。利用者はモニタに表示された合成画像から、印刷したい画像を選択する。ＣＰＵ１０３ｂは、利用者の選択に基づいて、印刷すべき画像を確定する（Ｓ２８）。
【００５２】
印刷すべき画像を確定後、ＣＰＵ１０３ｂは、利用者の操作に応じて印刷レイアウトを選択し（Ｓ２９）、選択された印刷レイアウトを適用し、画像をプリンタ５５で印刷する（Ｓ３０）。画像を印刷したシール紙は、プリント取出口２４から利用者に提供される。
【００５３】
４．編集入力処理
４−１.編集入力処理概要
【００５４】
図８は、編集画面の具体例を示す図である。編集操作モニタ２１に表示される編集画面は領域Ｌと領域Ｒとにわかれている。領域Ｌは、タッチペン２０Ｌによる操作入力を受け付け、領域Ｒは、タッチペン２０Ｒによる操作入力を受け付ける。このように、編集操作モニタ２１に積層されるタッチパネル２２は、利用者の操作入力（タッチペン２０によるタッチ）を受け付ける入力受付領域（領域Ｌと領域Ｒ）を複数有する。利用者は、それぞれの領域側にあるタッチペン２０を使用して同時に編集や各種の選択を可能にしている。写真プリント提供装置は複数人で使用されることが多いため、複数人が同時に編集可能な構成になっている。
【００５５】
編集画面は、画像編集処理が可能な残り時間を表示するためのタイマ２００、撮影処理により撮影された複数の撮影画像を表示して、編集を行う撮影画像を選択するための画像選択エリア２０１、画像選択エリア２０１から選択された撮影画像を拡大表示して、背景画像、ペン画像、スタンプ画像などの編集画像を描画して編集を行うための編集エリア２０２、編集用の複数の編集機能を選択するための編集ツール２０３、各編集ツール２０３に対応したテンプレート２０４を表示するテンプレート表示エリア２０５、画像編集処理を終了させるためのおしまいボタン２１２などで主に構成されている。また、各編集ツールの各テンプレート２０４は、それぞれ複数のカテゴリに分類されており、タブ２２１によってわけられている。すなわち、タブ２２１はカテゴリ別に分類されており、テンプレート表示エリア２０５には同一カテゴリに属するテンプレート２０４が表示される。
【００５６】
また、編集画像を描画する際の機能ツールとして、現在選択中の撮影画像に対する画像編集をはじめからやり直すためのはじめからボタン２０６、入力された編集画像を消去するためのけしゴムボタン２０７、直前の編集画像の入力を取り消すためのひとつもどるボタン２０９、ひとつもどるボタン２０９で入力を取り消した場合に、もう一度取り消した状態を復活させるためのすすむボタン２１０、ペン画像の太さやスタンプ画像の大きさの調整を行うサイズボタン２１１などが配置される。これらの機能ツールは、編集ツール２０３の選択状態に応じて、選択されている編集ツール２０３や編集状態に対応した機能を実現する。
【００５７】
４−２.編集入力処理
図９を用いて編集入力処理の動作を説明する。編集入力処理では、編集ツール２０３のうちいずれかのツールが選択されたかを判定する（Ｓ５１）。編集ツール２０３のいずれかが選択されていれば、選択されている編集ツール２０３に応じた入力処理を行う（Ｓ５２）。例えば、ステップＳ５１で「スタンプ」ツールが選択された場合はスタンプ入力処理を実行し、ステップＳ５２で「模様」ツールが選択された場合は模様画像入力処理を実行する。模様画像入力処理は本発明の特徴であるため次に詳細を説明する。
【００５８】
５．模様画像入力処理
５−１.模様画像入力処理概要
【００５９】
本実施の形態において、模様画像２５０は１つ以上の模様２５５を含む画像である。模様画像２５０は図１０（Ａ）が図示するように被写体の後景として入力されるものであってもよいし、図１０（Ｂ）が図示するように被写体の前景として入力されるものであってもよい。
【００６０】
模様２５５は、図１１（Ａ）が図示するような星型やあるいはハート型や丸型などの形状を有する柄である。もちろん、単一形状の組み合わせでなくてもよく、図１２（Ａ）が図示するような星型やハート型や丸型など複数の模様の組み合わせであってもよい。本実施の形態における模様画像入力処理では、模様画像２５０を図１６（Ｂ）が図示するような中途半端に切れた入力状態で終了することなく、図１５が図示するように模様が切れることなく美しく入力できるようになっている。
【００６１】
利用者は複数の模様画像２５０の中から所望の色、模様、柄が施されたものを選択し、タッチペン２０で塗りつぶすように入力していく。図１５が図示するように、模様画像２５０はタッチペン２０の軌跡ｍと、サイズボタン２１１で選択されたサイズ（太さ）によって形成されるペン先領域Ｍに基づいて描画される。ペン先領域Ｍは、軌跡ｍを中心として描画される円の内部を含む。前述の円の半径は、サイズボタン２１１で選択されたサイズ（太さ）に対応する。このようにタッチペン２０は模様画像を描画する位置を指定する指定手段としての機能を有する。
【００６２】
本実施形態における模様画像２５０は、編集操作モニタ２１上に表示され、実際に描画される模様画像２５０（図１１（Ａ））と、模様画像の模様２５５の輪郭を美しく描画するためのマスク画像２５１（図１１（Ｂ））と、模様画像の模様毎にＲＧＢ値を異なるようにすることによって模様画像２５０の領域を分割した領域データ画像２５２（図１１（Ｃ））とを有している。
【００６３】
領域データ画像２５２は、図１１（Ｃ）が図示するように、領域Ａ：ＲＧＢ値＝（０，０，１）と領域Ｂ：ＲＧＢ値＝（０，０，５）と領域Ｃ：ＲＧＢ値＝（０，０，１０）と領域Ｄ：ＲＧＢ値＝（０，０，１５）と領域Ｅ：ＲＧＢ値＝（０，０，２０）と領域Ｆ：ＲＧＢ値＝（０，０，２５）と領域Ｇ：ＲＧＢ値＝（０，０，３０）と領域Ｈ：ＲＧＢ値＝（０，０，３５）と領域Ｉ：ＲＧＢ値＝（０，０，４０）と領域Ｊ：ＲＧＢ値＝（０，０，４５）とを含んで構成されており、ＲＧＢ値などの色情報で区分される各領域は模様画像２５０の１つ１つの模様２５５に対応している。
【００６４】
なお、図１１の模様画像２５０のように領域同士が隣接していない場合、各々の領域のＲＧＢ値は同じ値を用いてもよい。この場合、タッチペンが指定した位置に所定のＲＧＢ値を検知した場合、同じＲＧＢ値を有する隣接した画素群のみを模様２５５の範囲として抽出してもよい。
【００６５】
また、領域は、１つの領域に対して１つの模様に対応するという形態でなくともよい。図１２を参照して、模様画像２５２（図１２（Ａ））の複数の模様に対応する領域データ画像２５２（図１２（Ｂ））の領域区分（領域情報）のように、１つの領域中に複数の模様２５５を含んでもよい。すなわち、模様２５５が切れた場合に不自然にならないような領域毎であればよい。
【００６６】
また、上述のような領域データ画像２５２の領域区分（領域情報）は、図１１が図示するように、１つの模様画像２５０に対応する領域データ画像２５２の一部の領域に保持していてもよいし、図１２が図示するように、１つの模様画像２５０に対応する領域データ画像２５２の全領域に保持していてもよい。
【００６７】
そして、タッチペン２０で各領域のうちいずれかの領域の一部がタッチされると、領域データ画像２５２を参照し、タッチされた位置のＲＧＢ値と同じＲＧＢ値を持つ領域が特定されて、同じ領域の全ての模様２５５が描画されるようになっている。
【００６８】
なお、ここでは、ＲＧＢ値を使用して領域を区分しているが、ＣＭＹＫカラーなどその他の色情報を用いてもよい。また領域を区分できるのであれば、色情報に限定するもではなく領域毎に数値を割振ることによって領域を区分してもよい。すなわち、模様画像２５０中の模様２５５を抽出できればよい。
【００６９】
次に、編集ツール２０３のうち「模様」ツールを選択したときの模様画像入力処理について図１３のフローチャートを用いて詳細に説明する。
【００７０】
５−２.模様画像入力処理
「模様」ツールが選択された状態では、デフォルトのテンプレート２０４（ここでは、模様画像２５０のテンプレート）が選択されている。まずＣＰＵ１０３ｂは、他のテンプレート２０４（模様画像）のうちいずれかがタッチされることにより、模様画像２５０が選択されたか否かを監視する（Ｓ６１）。
【００７１】
他のテンプレート２０４がタッチされることにより、模様画像２５０が選択された場合（Ｓ６１でＹＥＳ）、ＣＰＵ１０３ｂは選択された模様画像２５０の画像データを読出してセットし（Ｓ６２）、ステップＳ６３へ進む。テンプレート２０４のうちいずれかが選択されない場合（Ｓ６１でＮＯ）、ステップＳ６３へ進む。
【００７２】
ついで、ＣＰＵ１０３ｂは、タッチペン２０が編集エリア２０２にタッチされたか否かを監視する（Ｓ６３）。タッチペン２０が編集エリア２０２にタッチされていない場合は（Ｓ６３でＮＯ）、ステップＳ６１に戻り、模様画像２５０が選択されたかを判定する。
【００７３】
タッチペン２０が、編集エリア２０２にタッチされた場合は（Ｓ６３でＹＥＳ）、図１４（Ａ）が図示するように、ＣＰＵ１０３ｂはタッチペン２０が指定するペン先Ｘの座標（ｘ，ｙ）を特定し、現在選択中のサイズに基づいてペン先領域Ｍを特定する（Ｓ６４）。そして、ＣＰＵ１０３ｂは、図１４（Ｂ）が図示するように特定したペン先領域Ｍにおける、領域データ画像２５２のＲＧＢ値を読み出す（Ｓ６５）。
【００７４】
そして、図１４（Ｃ）が図示するように、ＣＰＵ１０３ｂは読み出したＲＧＢ値と同じＲＧＢ値である領域Ｃを、描画する領域Ｚとして特定することによって（Ｓ６６）、特定された領域Ｚ（ここでは領域Ｃが領域Ｚとして特定されている）に対応する模様画像２５０の模様２５５を抽出する。そして、ＣＰＵ１０３ｂは、抽出された模様２５５が既に描画されているか否かを判定する（Ｓ６７）。
【００７５】
特定された領域Ｚに対応する模様画像２５０の模様２５５が描画されていたら（Ｓ６７でＹＥＳ）、ステップＳ６９へ進む。特定した領域Ｚに対応する模様画像２５０の模様２５５が描画されていなければ（Ｓ６７でＮＯ）、図１４（Ｄ）が図示するように、ステップＳ６６で特定した領域Ｚに相当する、抽出された模様画像２５０の模様２５５を全て描画する（Ｓ６８）。
【００７６】
ついで、ＣＰＵ１０３ｂはタッチペン２０が移動したか否かを判定する（Ｓ６９）。タッチペン２０が移動した場合は（Ｓ６９でＹＥＳ）、ステップＳ６４へ戻り、再度ペン先の座標Ｘが描く軌跡ｍに基づくペン先領域Ｍを画定して模様画像２５０の描画を行う。
【００７７】
タッチペン２０が移動していない場合は（Ｓ６９でＮＯ）、タッチペン２０が編集エリア２０２から離れたか否かを判定する（Ｓ７０）。タッチペン２０が編集エリア２０２から離れた場合は（Ｓ７０でＮＯ）、ステップＳ６１に戻り、模様画像２５０が選択されたかを監視する。
【００７８】
タッチペン２０が編集エリア２０２から離れていない場合は（Ｓ７０でＮＯ）、ステップＳ６９へ戻り、再びタッチペン２０が移動したか否かと、タッチペン２０が編集エリア２０２から離れたか否かを判定する。
【００７９】
上記のように模様画像２５０を描画していくことによって、図１５が図示するように、模様画像２５０の描画途中で、編集制限時間に達して編集入力処理が終了してしまったとしても、模様画像２５０の模様２５５は、中途半端に切れた不自然な状態で描画されることがない。このため見た目に違和感がなく美しい画像を利用者に提供できる。
【００８０】
また、任意の位置に模様画像２５０を切れ目なくきれいに描画できるため、ユーザのセンスに応じた自由度の高い編集を行うことができる。
【００８１】
以上、画像編集装置を備えた写真シール作成装置１を示したが、本発明による画像編集装置は、写真撮影機能を有さず、編集処理のみ実行できる画像編集装置であってもよいし、編集画像プログラムをインストールした汎用のコンピュータであってもよい。
【００８２】
以上、本発明の実施の形態を説明したが、上述した実施の形態は本発明を実施するため
の例示に過ぎない。よって、本発明は上述した実施の形態に限定されることなく、その趣
旨を逸脱しない範囲内で上述した実施の形態を適宜変形して実施することが可能である。
【図面の簡単な説明】
【００８３】
【図１】本発明の実施の形態による画像編集装置を備えた写真シール作成装置の外部構成を示す斜視図である。
【図２】図１に示した写真シール作成装置の外観構成を側面からみた図である。
【図３】図１及び図２に示した写真シール作成装置の外部構成を上から見た図である。
【図４】図１〜図３に示した写真シール作成装置における画像編集装置の斜視図である。
【図５】図１〜図４に示した写真シール作成装置の機能構成を示すブロック図である。
【図６】写真シール作成装置の撮影処理の動作を示すフロー図である。
【図７】写真シール作成装置の編集処理及び印刷処理の動作を示すフロー図である。
【図８】編集画面の具体例を示す図である。
【図９】図７に示した編集処理のうち、編集入力処理の動作を示すフロー図である。
【図１０】（Ａ）模様画像を被写体の後景としている画像の具体例を示す図である。（Ｂ）模様画像を被写体の前景としている画像の具体例を示す図である。
【図１１】（Ａ）模様画像の具体例を示す図である。（Ｂ）模様画像のマスク画像の具体例を示す図である。（Ｃ）模様画像の領域データ画像の具体例を示す図である。
【図１２】（Ａ）模様画像の他の具体例を示す図である。（Ｂ）模様画像の領域データ画像の他の具体例を示す図である。
【図１３】模様画像入力処理の動作を示すフロー図である。
【図１４】（Ａ）図１３のステップＳ６４でペン先領域を特定している具体例を示す図である。（Ｂ）図１３のステップＳ６５で領域データ画像に基づいて特定したペン先領域のＲＧＢ値を読み出している具体例を示す図である。（Ｃ）図１３のステップＳ６６で読出したＲＧＢ値と同じＲＧＢ値の領域を特定している具体例を示す図である。（Ｄ）図１３のステップＳ６８で特定された領域データに対応する領域の模様画像を全て描画した具体例を示す図である。
【図１５】本発明を適用して模様画像を入力した画像の具体例を示す図である。
【図１６】従来の方法で模様画像を入力した画像の具体例を示す図である。
【符号の説明】
【００８４】
１  写真シール作成装置、  ２０  タッチペン、  ２１  編集操作モニタ、  ２２  タッチパネル、２５  画像編集装置、１０１  コンピュータ装置、２５０  模様画像、２５１  マスク画像、２５２  領域データ画像、２５５  模様
【図１】
0004553378.tif 000002
【図２】
0004553378.tif 000003
【図３】
0004553378.tif 000004
【図４】
0004553378.tif 000005
【図５】
0004553378.tif 000006
【図６】
0004553378.tif 000007
【図７】
0004553378.tif 000008
【図８】
0004553378.tif 000009
【図９】
0004553378.tif 000010
【図１０】
0004553378.tif 000011
【図１１】
0004553378.tif 000012
【図１２】
0004553378.tif 000013
【図１３】
0004553378.tif 000014
【図１４】
0004553378.tif 000015
【図１５】
0004553378.tif 000016
【図１６】
0004553378.tif 000017